(57)【特許請求の範囲】
【請求項１】
束を支持するための支持チャネルアセンブリであって、
底部及び２つの側を有する支持チャネルであって、それぞれの側が遠位端にフックを有する、支持チャネルと、
前記支持チャネルに係合する少なくとも１つのフランジであって、上部、底部、及び両側を有する少なくとも１つのフランジと、を備え、前記少なくとも１つのフランジの前記両側が、ロッキングタイを受容して前記束を固定するためのロッキングタイ受容領域を画定し、前記少なくとも１つのフランジの前記両側が、支持チャネル係合領域も画定し、
前記ロッキングタイ受容領域が、前記少なくとも１つのフランジの前記両側のうちの一方に位置する溝である、前記支持チャネルアセンブリ。
【請求項２】
前記少なくとも１つのフランジの前記両側が切欠ノッチをさらに備え、それぞれの切欠ノッチが上面及び窪みを画定する、請求項１に記載の前記支持チャネルアセンブリ。
【請求項３】
前記支持チャネルの前記両側の前記遠位端における前記フックが、前記窪み内に位置付けられる、請求項２に記載の前記支持チャネルアセンブリ。
【請求項４】
前記切欠ノッチが前記少なくとも１つのフランジを上方部材と下方部材に分割し、前記上方部材が前記支持チャネルの外に延在する、請求項２に記載の前記支持チャネルアセンブリ。
【請求項５】
前記ロッキングタイ受容領域が上方部材内にあり、前記支持チャネル係合領域が下方部材内にある、請求項４に記載の前記支持チャネルアセンブリ。
【請求項６】
前記少なくとも１つのフランジが、前記フランジの前記底部から延在するばねをさらに備え、それにより、前記ばねが、前記フランジを前記支持チャネル内の初期位置から設置位置まで回転させることを可能にする、請求項１に記載の前記支持チャネルアセンブリ。
【請求項７】
前記少なくとも１つのフランジが、前記支持チャネルの外で部分的に延在する、請求項１に記載の前記支持チャネルアセンブリ。
【請求項８】
束を支持するための支持チャネルアセンブリであって、
底部、長側、及び短側を有する支持チャネルであって、前記長側及び前記短側がそれぞれ、遠位端でフックを有する、支持チャネルと、
前記支持チャネルに係合する少なくとも１つのフランジであって、上部、底部、第１の側、及び第２の側を有する、少なくとも１つのフランジと、を備え、前記上部がロッキングタイ受容領域を画定し、前記第１の側及び前記第２の側が支持チャネル係合領域を画定する、前記支持チャネルアセンブリ。
【請求項９】
前記少なくとも１つのフランジが、前記第１の側を上方側と下方側に分割する開口を前記第１の側に有する、請求項８に記載の前記支持チャネルアセンブリ。
【請求項１０】
前記ロッキングタイ受容領域が、前記上部、前記上方側、及び前記開口によって画定された溝である、請求項９に記載の前記支持チャネルアセンブリ。
【請求項１１】
前記支持チャネル係合領域が、突起との係合表面を含み、前記短側の前記遠位端における前記フックが、前記少なくとも１つのフランジの前記係合表面に係合する、請求項８に記載の前記支持チャネルアセンブリ。
【請求項１２】
前記少なくとも１つのフランジの前記第２の側が、上方の第２の側及び角度のある第２の側を有し、前記角度のある第２の側が、前記底部から突起まで延在する、請求項８に記載の前記支持チャネルアセンブリ。
【請求項１３】
前記第２の側が、前記突起及び前記上方の第２の側によって画定された窪みをさらに備え、前記支持チャネルの前記長側の前記遠位端における前記フックが、前記第２の側の前記窪みに係合する、請求項１２に記載の前記支持チャネルアセンブリ。
【請求項１４】
前記少なくとも１つのフランジが、前記フランジの前記底部から延在するばねをさらに備え、それにより、前記ばねが、前記フランジを前記支持チャネル内に設置することを可能にする、請求項８に記載の前記支持チャネルアセンブリ。
【請求項１５】
前記少なくとも１つのフランジが、前記支持チャネル内に設置されている、請求項８に記載の前記支持チャネルアセンブリ。
【発明の詳細な説明】
【背景技術】
【０００１】
本発明は、支持チャネルに関し、より具体的には、束を支持チャネルに固定するために用いられるフランジに関する。
【発明の概要】
【０００２】
本発明は、束を支持するように設計された支持チャネルアセンブリを対象とする。支持チャネルは、底部及び２つの側を有する。それぞれの側は、その側の遠位端でフックを含む。本アセンブリは、支持チャネルに係合するフランジも含む。フランジは、上部、底部、及び両側を有する。フランジの両側は、ロッキングタイを受容して束を固定するためのロッキングタイ受容領域を画定し、支持チャネルのフックを受容するための支持チャネル係合領域も画定する。
【０００３】
本発明はまた、底部、長側、及び短側を有する支持チャネルを有する支持チャネルアセンブリに関する。支持チャネルの長側及び短側はそれぞれ、遠位端でフックを有する。フランジは、上部、底部、第１の側、及び第２の側を有する。フランジの上部は、ロッキングタイ受容領域を画定し、フランジの第１の側及び第２の側は、支持チャネルのフックを受容するための支持チャネル係合領域を画定する。
【図面の簡単な説明】
【０００４】
【図１】支持チャネル内に設置された外側のフランジに固定された束の前方斜視図である。
【図２】図１の支持チャネル内に設置された外側のフランジの後方斜視図である。
【図３】図２の外側のフランジ及び支持チャネルの正面図である。
【図４】図３の外側のフランジ及び支持チャネルのＡ−Ａ線断面図である。
【図５Ａ】図１の支持チャネルの上に位置付けられた外側のフランジの上面図である。
【図５Ｂ】支持チャネルの上に位置付けられた図５Ａの外側のフランジの断面図である。
【図６Ａ】図１の支持チャネル内に設置される位置に回転された外側のフランジの上面図である。
【図６Ｂ】支持チャネル内に設置されるように位置付けられた図６Ａの外側のフランジの断面図である。
【図７Ａ】図１の支持チャネル内に部分的に設置された外側のフランジの上面図である。
【図７Ｂ】支持チャネル内に部分的に設置された図７Ａの外側のフランジの断面図である。
【図８Ａ】図１の支持チャネル内に部分的に設置された外側のフランジの上面図である。
【図８Ｂ】支持チャネル内に部分的に設置された図８Ａの外側のフランジの断面図である。
【図９Ａ】図１の支持チャネル内に設置された外側のフランジの上面図である。
【図９Ｂ】支持チャネル内に設置された図９Ａの外側のフランジの断面図である。
【図１０】代替の支持チャネル内に設置された内側のフランジの斜視図である。
【図１１】図１０の支持チャネル内に設置された内側のフランジの端面図である。
【図１２】図１０の支持チャネル内に設置されるように位置付けられた内側のフランジの端面図である。
【図１３】図１０の支持チャネル内に部分的に設置された内側のフランジの端面図である。
【図１４】図１０の支持チャネル内に部分的に設置された内側のフランジの端面図である。
【図１５】図１０の支持チャネル内に部分的に設置された内側のフランジの端面図である。
【図１６】図１０の支持チャネル内に設置された内側のフランジの端面図である。
【発明を実施するための形態】
【０００５】
図１〜４は、本発明の支持チャネルアセンブリ３０のための外側のフランジを図解する。外側のフランジ３２は支持チャネル６０内に設置される。束１６０は、クッションスリーブ１５２で金属ロッキングタイ１５０を介して外側のフランジ３２に固定される。支持チャネル６０は、底部６２及び２つの側６４を有するＵ字形である（図４参照）。両側６４のそれぞれの遠位端は、フック６６を含む。図１及び２に図解されるように、支持チャネル６０は、支持チャネル６０のそれぞれの端に位置付けられた端板６８を含む。
【０００６】
外側のフランジ３２は、上部３８、両側４０、及び両側４０の１つで画定された溝４２を含む。図４に図解されるように、溝４２は、クッションスリーブ１５２及び金属ロッキングタイ１５０を受容する。外側のフランジ３２はまた、それぞれの側４０及び底部５０において切欠ノッチ４４を含む。それぞれの切欠ノッチ４４は、上面４６及び窪み４８を画定する。図４に図解されるように、窪み４８は、支持チャネル６０の両側６４の遠位端でフック６６を受容する。ばね５２は、外側のフランジ３２の底部５０の中心から延在する。
【０００７】
図５Ａ〜９Ｂは、支持チャネル６０内への外側のフランジ３２の設置を図解する。５Ａ〜５Ｂに図解されるように、外側のフランジ３２は、支持チャネル６０内に設置されるように位置付けられる。次に、外側のフランジ３２は、９０°で回転され（６Ａ〜６Ｂ参照）、支持チャネル６０内に配置される（７Ａ〜７Ｂ参照）。次いで、ばね５２は、圧縮されて、外側のフランジ３２が、その元々の位置に９０°戻って回転することを許容する（図８Ａ及び８Ｂ参照）。外側のフランジ３２がその元の位置に回転された時点で、外側のフランジ３２が解放され、ばね５２が拡張し、外側のフランジ３２がフック６６に向かって上昇することを許容する。その結果、支持チャネル６０の両側６４の遠位端におけるフック６６は、外側のフランジ３２の窪み４８内に位置付けられる（図９Ａ及び９Ｂ参照）。
【０００８】
外側のフランジ３２が支持チャネル６０内に設置されると、金属ロッキングタイ１５０及びクッションスリーブ１５２は、固定されている束１６０の周りに巻きつけられる。金属ロッキングタイ１５０は、便利な位置に回転されて、金属ロッキングタイツール（図示せず）によって張力をかけられる。
【０００９】
設置時間が減らされて、部品の数が減らされたので、支持チャネルアセンブリのための外側のフランジは、デバイスに接続する他の束に比べての改良である。外側のフランジは、広範囲にわたる導管、パイプ、またはケーブル直径を収容し得る。外側のフランジは、支持チャネルに沿って任意の点に再配置され得、外側のフランジは、共通チャネル支持システムと互換性を有する。外側のフランジは、耐タンパー性で、従来の締結方法より薄型を提供する。
【００１０】
図１０〜１６は、支持チャネルアセンブリ８０のための代替の内側のフランジを図解する。図１０及び１１に図解されるように、内側のフランジ８２はＪ字形の支持チャネル１２０内に設置される。クッションスリーブ１５２を有する金属ロッキングタイ１５０は、支持チャネル１２０内に設置された内側のフランジ８２に束１６０を固定する。
【００１１】
支持チャネル１２０は、概して、底部１２２、短側１２４、及び長側１２８を有するＪ字形である。それぞれの側１２４、１２８の遠位端は、それぞれ、フック１２６、１３０を含む。支持チャネル１２０は、他方より短い側を用いて設計され、支持チャネル１２０内への金属ロッキングタイ１５０の配置を可能にし、一方では、束１６０は、より長い側１２８上で静止する。金属ロッキングタイ１５０は、金属ロッキングタイツール（図示せず）を介して張力をかけられ、支持チャネル１２０に対して堅固に束１６０を固定する。
【００１２】
内側のフランジ８２は、上部８４、第１の側８６、底部９４、及び第２の側１０４を含む。第１の側８６は、第１の側８６を上方の第１の側９０と下方の第１の側９２に分割する開口８８を含む。内側のフランジ８２はまた、上部８４、上方の第１の側９０、及び開口８８によって画定された溝９８を含む。溝９８は、クッションスリーブ１５２及び金属ロッキングタイ１５０を受容する。内側のフランジ８２はまた、突起１０２との上部係合表面１００を含む。図１１に図解されるように、内側のフランジ８２がＪ字形の支持チャネル１２０内に設置されるとき、短側１２４の遠位端におけるフック１２６は、内側のフランジ８２の上部係合表面１００に係合する。
【００１３】
第２の側１０４は、上方の第２の側１０６及び角度のある第２の側１０８を含む。角度のある第２の側１０８は、底部９４から突起１１０まで延在する。第２の側１０４はまた、突起１１０及び上方の第２の側１０６によって画定される窪み１１２を含む。図１１に図解されるように、内側のフランジ８２がＪ字形の支持チャネル１２０内に設置されるとき、長側１２８の遠位端におけるフック１３０は、第２の側１０４の窪み１１２に係合する。
【００１４】
底部９４は、底部９４の中心に取り付けられたばね９６を含む。下で考察されるように、ばね９６は、内部のフランジ８２が支持チャネル１２０内に設置されることを可能にする。
【００１５】
図１２〜１６は、Ｊ字形の支持チャネル１２０内への内側のフランジ８２の設置を図解する。図１２は、支持チャネル１２０内に挿入されるように位置付けられた内側のフランジ８２を図解する。下方の第１の側９２は、支持チャネル１２０の短側１２４の遠位端において、フック１２６の外面に接触する。図１３及び１４は、回転されて、下向きに押されて、内側のフランジ８２の底部９４に取り付けられたばね９６を圧縮する内側のフランジ８２を図解する。図１５は、ばね９６が完全に圧縮されて、内側のフランジ８２が支持チャネル１２０内に位置付けられるまで、下向きに押される内側のフランジ８２を図解する。内側のフランジ８２が解放されると、ばね９６が拡張して、内側のフランジ８２を設置位置まで上昇させる。図１６は、設置位置内の内側のフランジ８２を図解する。短側１２４の遠位端におけるフック１２６は、上部係合表面１００に係合する。長側１２８の遠位端におけるフック１３０は、窪み１１２に係合する。内側のフランジ８２は、金属ロッキングタイ１５０が設置されるまで、ばね９６によって適所に保持される。
【００１６】
設置時間が減らされて、部品の数が減らされたので、支持チャネルアセンブリのための内側のフランジはまた、デバイスに接続する他の束に比べての改良である。内側のフランジは、広範囲にわたる導管、パイプ、またはケーブル直径を収容し得る。内側のフランジは、支持チャネルに沿って任意の点に再配置され得る。内側のフランジは、耐タンパー性で、従来の締結方法より薄型を提供する。
【００１７】
必要であれば、束が追加の指示のために設置されたあと、内部のフランジは、支持チャネルに追加され得る。Ｊ字形の支持チャネルは、従来のＵ字形のチャネルより少ない鋼で製造される。このように、Ｊ字形のチャネルは、従来の支持チャネルより高価でなくて、より軽量である。
【００１８】
さらに、本発明の特定の好ましい実施形態を示して説明してきたが、本発明の教示から逸脱することなく、変更及び修正を加えることができることは、当業者には明らかであろう。前述の説明に記載された事項及び添付の図面は、限定するものとしてではなく、単なる例示として提供される。
【符号の説明】
【００１９】
３０  支持チャネルアセンブリ
３２  フランジ
３８  上部
４０  両側
４２  溝
４４  切欠ノッチ
４６  上面
４８  窪み
５０  底部
５２  ばね
６０  支持チャネル
６４  側
６６  フック
６８  端板
８０  支持チャネルアセンブリ
８２  フランジ
８４  上部
８８  開口
９４  底部
９８  溝
１５０  ロッキングタイ
１５２  クッションスリーブ
１６０  束
【図１】
0006352384.tif 000002
【図２】
0006352384.tif 000003
【図３】
0006352384.tif 000004
【図４】
0006352384.tif 000005
【図５Ａ】
0006352384.tif 000006
【図５Ｂ】
0006352384.tif 000007
【図６Ａ】
0006352384.tif 000008
【図６Ｂ】
0006352384.tif 000009
【図７Ａ】
0006352384.tif 000010
【図７Ｂ】
0006352384.tif 000011
【図８Ａ】
0006352384.tif 000012
【図８Ｂ】
0006352384.tif 000013
【図９Ａ】
0006352384.tif 000014
【図９Ｂ】
0006352384.tif 000015
【図１０】
0006352384.tif 000016
【図１１】
0006352384.tif 000017
【図１２】
0006352384.tif 000018
【図１３】
0006352384.tif 000019
【図１４】
0006352384.tif 000020
【図１５】
0006352384.tif 000021
【図１６】
0006352384.tif 000022